(57)【要約】【課題】シンプルな構成で、迅速且つ低コストにてプロジェクターの設置作業を行うことができるプロジェクター設置装置及び設置方法を提供することを課題とする。【解決手段】壁面固定型のボード１の上部に、その全長に亘り又はそれよりも短い距離横方向に延びるように設置される一対のガイドレール２、３と、ガイドレール２、３の一方に係合して転動又は摺動する第一のレール係動手段４と、ガイドレール２、３の他方に係合して転動又は摺動する第二のレール係動手段５と、第一のレール係動手段４と第二のレール係動手段５とを連結する連結基材６と、連結基材６に固設されるプロジェクターアーム７とから成り、プロジェクターアーム７にプロジェクターＰを取り付け可能にして成る。【選択図】図３
2014048306.tif 000002
【特許請求の範囲】
【請求項１】
壁面固定型のボードの上部に、その全長に亘り又はそれよりも短い距離横方向に延びるガイドレールを一対設置し、前記ガイドレールの一方に、それに係合して転動又は摺動する第一のレール係動手段を配設し、前記ガイドレールの他方に、それに係合して転動又は摺動する第二のレール係動手段を配設し、前記第一のレール係動手段と前記第二のレール係動手段とを連結基材を介して連結し、前記連結基材にプロジェクターアームを固設し、前記プロジェクターアームにプロジェクターを取り付けることにより、前記プロジェクターを前記一対のガイドレールに沿って横方向に移動可能にすることを特徴とするプロジェクター設置方法。
【請求項２】
前記一対のガイドレールは、前記ボードの上面と前面上端部に各１列、前記ボードの前面上部に２列、前記ボードの上面又は前面上部と前記ボ−ドの上側の壁面に各1列、あるいは、前記ボードの上側の壁面に２列配置される、請求項１に記載のプロジェクター設置方法。
【請求項３】
壁面固定型のボードの上部に、その全長に亘り又はそれよりも短い距離横方向に延びるように設置される一対のガイドレールと、前記ガイドレールの一方に係合して転動又は摺動する第一のレール係動手段と、前記ガイドレールの他方に係合して転動又は摺動する第二のレール係動手段と、前記第一のレール係動手段と前記第二のレール係動手段とを連結する連結基材と、前記連結基材に固設されるプロジェクターアームとから成り、前記プロジェクターアームにプロジェクターを取り付け可能にして成るプロジェクター設置装置。
【請求項４】
前記一対のガイドレールは、前記ボードの上面と前記ボードの前面上端部に各１列、前記ボードの前面上部に２列、前記ボードの上面又は前面上部と前記ボ−ドの上側の壁面に各1列、あるいは、前記ボードの上側の壁面に２列配置される、請求項３に記載のプロジェクター設置装置。
【請求項５】
前記ガイドレールは断面角Ｃ字状の枠材であり、前記レール係動手段は３つのローラー備えていて、そのうちの第１のローラーは前記ガイドレールの開口面の表面に当接して転動し、第２のローラーは前記ガイドレールの開口面の裏面に当接して転動し、第３のローラーは前記ガイドレールの内側面に当接して転動する、請求項３又は４に記載のプロジェクター設置装置。
【請求項６】
前記第１のローラー、第２のローラー、第３のローラーのうちの少なくとも１つは、２つのローラーが進行方向に配置されたものとされる、請求項５に記載のプロジェクター設置装置。
【請求項７】
前記連結基材は、細板状資材又は棒状資材を適宜形状に湾折曲したものである、請求項３乃至６のいずれかに記載のプロジェクター設置装置。
【請求項８】
前記連結基材は、三角形状、台形状、その他任意の形状の板材である、請求項３乃至６のいずれかに記載のプロジェクター設置装置。
【請求項９】
前記連結基材は、前記第一のレール係動手段を支持するブラケットと、前記第二のレール係動手段を支持するブラケットと、これらのブラケットを連結する縦杆とから成る、請求項３乃至６のいずれかに記載のプロジェクター設置装置。
【請求項１０】
前記ボードは全体又は一部にスクリーン機能を有している、請求項３乃至９のいずれかに記載のプロジェクター設置装置。
【請求項１１】
前記ボードは曲面ボードであり、前記一対のガイドレールは、前記曲面ボードに対応するようにカーブしている、請求項３乃至１０のいずれかに記載のプロジェクター設置装置。
【請求項１２】
前記プロジェクターアームは、前記連結基材に上下動可能及び／又は旋回可能に設置される、請求項３乃至１１のいずれかに記載のプロジェクター設置装置。
【請求項１３】
前記連結基材に、薄型テレビ、スクリーン、ホワイトボード、白地パネルのうちのいずれかを吊下した、請求項３乃至１２のいずれかに記載のプロジェクター設置装置。
【請求項１４】
一対のガイドレールと、前記ガイドレールの一方に係合して転動又は摺動する第一のレール係動手段と、前記ガイドレールの他方に係合して転動又は摺動する第二のレール係動手段と、前記第一のレール係動手段と前記第二のレール係動手段とを連結する連結基材とから成り、前記ガイドレールは断面角Ｃ字状の枠材であり、前記レール係動手段は３つのローラー備えていて、そのうちの第１のローラーは前記ガイドレールの開口面の表面に当接して転動し、第２のローラーは前記ガイドレールの開口面の裏面に当接して転動し、第３のローラーは前記ガイドレールの内側面に当接して転動するものであることを特徴とする走行装置。
【請求項１５】
前記第１のローラー、第２のローラー、第３のローラーのうちの少なくとも１つは、２つのローラーが進行方向に配置されたものとされる、請求項１４に記載の走行装置。
【請求項１６】
前記連結基材は、細板状資材又は棒状資材を適宜形状に湾折曲して形成されるものであるか、三角形状、台形状、その他任意の形状の板材で形成されるものであるか、それらの組み合わせであるか、前記第一のレール係動手段を支持するブラケットと、前記第二のレール係動手段を支持するブラケットと、これらのブラケットを連結する縦杆とから形成されるものであるかのいずれかである、請求項１４又は１５に記載の走行装置。
【請求項１７】
前記連結基材に、薄型テレビ、スクリーン、ホワイトボード又は白地パネルが吊下される、請求項１４乃至１６のいずれかに記載の走行装置。
【発明の詳細な説明】
【技術分野】
【０００１】
本発明は、プロジェクター設置装置及び設置方法に関するものであり、より詳細には、学校等の教育機関や関連施設、あるいは、一般企業等において、主に既設のホワイトボード等のスクリーン機能を有するボードに、プロジェクターを横方向に可動に設置するための装置及び方法、並びに、その実施に用いる走行装置に関するものである。
【背景技術】
【０００２】
近年の情報化社会の発展進化に伴い、学校などの教育現場や企業の研修室等においては、従来の黒板やホワイトボードと共に、あるいは、それらに代えて、所謂インタラクティブボードを用いることが一般化してきている。その場合、プロジェクターを使用することも常態化してきている。
【０００３】
しかるに、このインタラクティブボードと共に、既設の黒板やホワイトボードをそのまま使用したいとの要請が少なくないため、本願出願人は、既設の黒板やホワイトボード等の壁面固定式ボードをそのまま利用し、それらの本来の筆記等の機能以外のインタラクティブボード機能を具備させるための種々のシステムを提案してきている（特開２００９−１１３４４６号公報、特開２００９−１１３４４９号公報、特開２００９−１１９６６３号公報）。
【先行技術文献】
【特許文献】
【０００４】
【特許文献１】特開２００９−１１３４４６号公報
【特許文献２】特開２００９−１１３４４９号公報
【特許文献３】特開２００９−１１９６６３号公報
【発明の概要】
【発明が解決しようとする課題】
【０００５】
しかし、上記提案に係るシステムは、比較的大掛かりになって、工期及びコストがかかるため、よりシンプルな構成で、迅速且つ低コストにてプロジェクターの設置作業を行うことができるシステムの提案が求められている。本発明はそのような要望に応えるためになされたもので、シンプルな構成で、迅速且つ低コストにてプロジェクターの設置作業を行うことができるプロジェクター設置装置及び設置方法、並びに、その実施に用いる走行装置を提供することを課題とする。
【課題を解決するための手段】
【０００６】
上記課題を解決するための請求項１に記載の発明は、壁面固定型のボードの上部に、その全長に亘り又はそれよりも短い距離横方向に延びるガイドレールを一対設置し、前記ガイドレールの一方に、それに係合して転動又は摺動する第一のレール係動手段を配設し、前記ガイドレールの他方に、それに係合して転動又は摺動する第二のレール係動手段を配設し、前記第一のレール係動手段と前記第二のレール係動手段とを連結基材を介して連結し、前記連結基材にプロジェクターアームを固設し、前記プロジェクターアームにプロジェクターを取り付けることにより、前記プロジェクターを前記一対のガイドレールに沿って横方向に移動可能にすることを特徴とするプロジェクター設置方法である。
【０００７】
上記課題を解決するための請求項３に記載の発明は、壁面固定型のボードの上部に、その全長に亘り又はそれよりも短い距離横方向に延びるように設置される一対のガイドレールと、前記ガイドレールの一方に係合して転動又は摺動する第一のレール係動手段と、前記ガイドレールの他方に係合して転動又は摺動する第二のレール係動手段と、前記第一のレール係動手段と前記第二のレール係動手段とを連結する連結基材と、前記連結基材に固設されるプロジェクターアームとから成り、前記プロジェクターアームにプロジェクターを取り付け可能にして成るプロジェクター設置装置である。
【０００８】
一実施形態においては、前記一対のガイドレールは、前記ボードの上面と前記ボードの前面上端部に各１列、前記ボードの前面上部に２列、前記ボードの上面又は前面上部と前記ボ−ドの上側の壁面に各1列、あるいは、前記ボードの上側の壁面に２列配置される。
【０００９】
また、一実施形態においては、前記ガイドレールは断面角Ｃ字状の枠材であり、前記レール係動手段は３つのローラー備えるものであり、そのうちの第１のローラーは前記ガイドレールの開口面の表面に当接して転動し、第２のローラーは前記ガイドレールの開口面の裏面に当接して転動し、第３のローラーは前記ガイドレールの内側面に当接して転動する。好ましくは、前記第１のローラー、第２のローラー、第３のローラーのうちの少なくとも１つは、２つのローラーが進行方向に配置されたものとされる。
【００１０】
一実施形態においては、前記連結基材は、細板状資材又は棒状資材を適宜形状に湾折曲したものとされ、他の実施形態においては、前記連結基材は、三角形状、台形状、その他任意の形状の板材とされ、更に他の実施形態においては、前記連結基材は、前記第一のレール係動手段を支持するブラケットと、前記第二のレール係動手段を支持するブラケットと、これらのブラケットを連結する縦杆とから成るものとされる。
【００１１】
また、一実施形態においては、前記ボードは曲面ボードであり、前記一対のガイドレールは、前記曲面ボードに対応するようにカーブしている。好ましくは、前記プロジェクターアームが、前記連結基材に上下動可能及び／又は旋回可能に設置される。また、前記連結基材に、薄型テレビ、スクリーン、ホワイトボード、白地パネルのうちのいずれかが吊下される。
【発明の効果】
【００１２】
本発明は上記のとおりであって、スクリーン機能を有するボードの上部に、その全長に亘り又はそれよりも短い距離横方向に延びるように設置される一対のガイドレールと、それらに係合して転動又は摺動するレール係動手段と、第一及び第二のレール係動手段とを連結する連結基材と、連結基材に固設されるプロジェクターアームとで構成されるため、構成がシンプルで、迅速且つ低コストにてプロジェクターの設置作業を行うことができる効果がある。
【００１３】
請求項５に記載の発明においては、ガイドレールに対するレール係動手段の係合関係が強固に保たれるため、プロジェクターを安定状態に支持することができ、また、支障なくプロジェクターを所望位置にスムーズに移動させることができる効果がある。
【図面の簡単な説明】
【００１４】
【図１】本発明に係るプロジェクターの設置装置の施工状態を示す正面図である。
【図２】本発明に係るプロジェクターの設置装置の施工状態を示す中間省略側面縦断面図である。
【図３】図２における要部の拡大側面図である。
【図４】図２における要部の拡大正面図である。
【図５】図２に示す実施形態の変形例を示す中間省略側面縦断面図である。
【図６】本発明に係るプロジェクターの設置装置をアップダウン式黒板に適用した場合の施工状態を示す側面図である。
【図７】本発明に係るプロジェクターの設置装置を曲面式黒板に適用した場合の施工状態を示す側面図である。
【図８】本発明に係るプロジェクターの設置装置の他の実施形態の施工状態示す側面図である。
【図９】本発明に係るプロジェクターの設置装置の更に他の実施形態の施工状態示す側面図である。
【図１０】本発明に係るプロジェクターの設置装置の更に他の実施形態の施工状態示す側面図である。
【発明を実施するための形態】
【００１５】
以下に、本発明を実施するための形態につき、添付図面を参照しつつ詳細に説明する。本発明に係るプロジェクター設置方法は、壁面固定型のボードの上部に、その全長に亘り又はそれよりも短い距離横方向に延びるガイドレールを一対設置し、前記ガイドレールの一方に、それに係合して転動又は摺動する第一のレール係動手段を配設し、前記ガイドレールの他方に、それに係合して転動又は摺動する第二のレール係動手段を配設し、前記第一のレール係動手段と前記第二のレール係動手段とを連結基材を介して連結し、前記連結基材にプロジェクターアームを固設し、前記プロジェクターアームにプロジェクターを取り付けることにより、前記プロジェクターを前記一対のガイドレールに沿って横方向に移動可能にすることを特徴とするものである。
【００１６】
本発明に係るプロジェクター設置装置は、上記方法を実施するためのもので、壁面固定型のボード１の上部に、その全長に亘り又はそれよりも短い距離横方向に延びるように設置される一対のガイドレール２、３と、一方のガイドレール２に係合して転動又は摺動する第一のレール係動手段４と、他方のガイドレール３に係合して転動又は摺動する第二のレール係動手段５と、第一のレール係動手段４と第二のレール係動手段５とを連結する連結基材６と、連結基材６に固設されるプロジェクターアームと７から成る。プロジェクターＰは、プロジェクターアーム７に取り付け可能にされる。
【００１７】
近時、プロジェクターについての改良が進み、所謂インタラクティブ機能を内蔵した短焦点型のものが普及しつつあり、本発明においても、そのタイプのプロジェクターの使用を想定している。そのタイプのプロジェクターの場合は、一般的なホワイトボードをスクリーンとして利用することが可能であるので、本発明においては、ボード１として、既設のホワイトボードをそのまま用いることができる。あるいは、スクリーン機能を有しない黒板の一半部又は全体に、スクリーン用の塗装を施し、あるいは、スクリーンシートを貼り付けたボードであってもよい。
【００１８】
ガイドレール２、３は、ボード１の上面とボード１の前面上端部に各１列配置する第１の配置方法、ボード１の前面上部に２列配置する第２の配置方法、ボード１の上面又は前面上部とボ−ド１の上側の壁面Ｗに各1列配置する第３の配置方法、あるいは、ボード１の上側の壁面に２列配置する第４の配置方法のうちの、いずれかの方法によって設置される。図２乃至図８に示す例は第１の配置方法によるものであり、図９に示す例は第３の配置方法によるものであり、図１０に示す例は第４の配置方法によるものである。なお、第２の配置方法による場合の図示は省略する。
【００１９】
ガイドレール２、３は、通例、ボード１の全長に亘る長さとされるが、それよりも短くされる場合もある。例えば、ボード１の一半部にスクリーン機能を持たせたような場合には、そのスクリーン機能を有する部分に対応する長さとすれば足りる。
【００２０】
ガイドレール２、３とこれに対するレール係動手段４、５の組合わせは種々考えられるが、一般的な組合わせとしては、図示した例のように、ガイドレール２、３として断面角Ｃ字型のアルミ枠を用い、レール係動手段４、５を転動ホイールとし、転動ホイールをガイドレール２、３に係合させることが考えられる。通例、ガイドレール２、３の双方にこの構成を採用するが、一方のガイドレール２（３）をこの構成とし、他方のガイドレール３（２）は別の構成とすることもできる。
【００２１】
ここにおいて用いるレール係動手段４、５としては、３つのローラーを備えたものであることが好ましい。その場合、第１ローラー８はガイドレール２、３の溝が形成される面（開口面）の表面に当接して転動するものとされ、第２ローラー９はガイドレール２、３の開口面の裏面に当接して転動するものとされ、第３ローラー１０はガイドレール２、３の内側面に当接して転動するものとされる（特に図３、図４参照）。
【００２２】
なお、安定転動のために、第１ローラー８、第２ローラー９、第３ローラー１０の内の少なくとも１つは、２つのローラーを進行方向に配置したものとすることが好ましい。あるいは、それを２列にして合計４つのローラーで構成することとしてもよい。図示した例では、各ローラー８〜１０が２つのローラーを進行方向に配置した構成とされており、第１ローラー８を構成する２つのローラー、及び、第２ローラー９を構成する２つのローラーは、それぞれ連結部材６において軸支され、第３ローラー１０を構成する２つのローラーは、連結部材６に設けられた軸支板１１において軸支されている。
【００２３】
このような３つのローラー８〜１０を備えたレール係動手段４、５の作用並びに利点につき、図３を参照して説明する。図３から明らかなように、プロジェクターアーム７及び連結部材６は、プロジェクターＰの荷重を受けて、図３において左下方に引っ張られる。従って、レール係動手段４の第１ローラー８は、必ず、ガイドレール２の開口面の表面に当接してそこに確固と受け止められ、また、第２ローラー９は、必ず、ガイドレール２の開口面の裏面に当接してそこに確固と受け止められる。
【００２４】
一方、レール係動手段５の第１ローラー８も、必ず、ガイドレール３の開口面の表面に当接してそこに確固と受け止められ、また、第２ローラー９も、必ず、ガイドレール３の開口面の裏面に当接してそこに確固と受け止められる。その際、第３ローラー１０は、連結部材６の傾き度合いに応じて、ガイドレール２、３の内側面に当接して転動する場合と、ガイドレール２、３の内側面から離隔して空回りする場合とがある。このようにして連結部材６が確固と保持されるため、プロジェクターＰを安定状態に吊持することが可能となる。図５以降に示す他の実施形態においても、これと同様の作用効果を奏する。
【００２５】
第一のレール係動手段４と第二のレール係動手段５とを連結する連結基材６は、図示した例におけるような細板状資材又は棒状資材を三角形状、台形状、その他任意の形状に湾折曲して形成することができ、あるいは、三角形状、台形状、その他任意の形状の板材で形成することができる。また、それらの組み合わせにて構成することもできる。板材で形成する場合は、強度及びプロジェクターアーム７の取り付けを考慮し、２枚の板材を対置する構成とすることが好ましい。
【００２６】
連結基材６には、プロジェクターアーム７が固設され、更に、プロジェクターアーム７にプロジェクターＰが取り付けられるために、かなりの負荷がかかる。従って、連結基材６には、その負荷に十分耐え得るだけの強度を持たせる必要がある。
【００２７】
好ましくは、プロジェクターアーム７は二重パイプ材製とし、下側パイプを連結基材６に溶接、ボルト締め等により固定する。そして、下側パイプに対して上側パイプを内挿又は外挿可能にし、固定ネジ１２を緩めて上側パイプを上下動並びに回転可能にする。そのようにすることにより、プロジェクターアーム７に吊持されるプロジェクターＰの高さ位置及び旋回位置の設定を任意に行うことが可能となる。
【００２８】
図５に示す実施形態は図２に示す実施形態の変形例で、ボード１がアルミ枠１５で囲まれたタイプのものであり、アルミ枠１５と一体となったブラケット１６を介して壁面に設置されるもので、他の構成は図２に示すものと変わりはない。
【００２９】
本発明に係るプロジェクター設置装置は、ボード１が一般的な平面ボードである場合だけでなく、アップダウン式ボードの場合（図６）や曲面ボードの場合（図７）にも適用可能である。ボード１が曲面ボードである場合は、その曲面に対応してガイドレール２、３もカーブしたものとなる。なお、図６において符号１７は、アップダウン式ボードにおける昇降機構部を示し、符号１８はブレーキハンドルを示している。
【００３０】
図８に示す実施形態は、上側のガイドレール２を下側のガイドレール３と同じ向き（開口面が正面向き）にし、ガイドレール２にブラケット２５を付設したものである。この場合、ブラケット２５を、桟木の上面又は上面から裏面へと差し込んでボード１の上面に固定することにより、ガイドレール２をガイドレール３の上側に設置する。そして、この場合の連結基材６は、第一のレール係動手段４を支持するブラケット２１と、第二のレール係動手段５を支持するブラケット２２と、これらのブラケット２１、２２を連結する縦杆２３とで構成される。この実施形態の場合はガイドレール２の背後に空間ができるので、その空間を利用して配線を収め、配線が前面に露見しないようにすることが可能となる。
【００３１】
図９に示す実施形態は、ボード１の前面上部とボ−ド１の上側の壁面Ｗに各1列配置する第３の配置方法によるもので、ガイドレール２は、直接壁面Ｗに固定される場合と、図示した例のように基枠材２６を介して壁面Ｗに固定される場合とがある。図示した例では、ガイドレール２とガイドレール３とが近接して配置されているが、より離して配置することとしてもよい。この実施形態における連結基材６は、図８に示す実施形態におけるものと同様のものである。なお、基枠材２６を壁面Ｗではなく、ボード１の上面に固定するようにすることもある（但し、その場合は、ボード１の上面とボード１の前面上端部に各１列配置する第１の配置方法となる。）。
【００３２】
図１０に示す実施形態は、ボード１の上側の壁面に２列配置する第４の配置方法によるもので、ガイドレール２、３は、図示した例のように直接壁面Ｗに固定される場合と、基枠材２６を介して壁面Ｗに固定される場合とがある。この場合の連結基材６も、図８に示す実施形態におけるものと同様のものとされる。
【００３３】
なお、プロジェクターアーム７を固設した連結基材６の移動は、手作業で行うものとしてもよいし、連結基材６にモーターを搭載し、そのモーターでいずれかのローラーを駆動する自走式のものとしてもよいことは言うまでもない。
【００３４】
図示してないが、一実施形態においては、連結基材６に、薄型テレビ、スクリーン、ホワイトボード、白地パネルその他のボード類が吊下される。この場合のスクリーンは、自動巻き上げ式のものであってもよい。この実施形態によれば、ボード１がスクリーン機能を有しない単なる黒板であってもよいことになる。
【００３５】
この発明をある程度詳細にその最も好ましい実施形態について説明してきたが、この発明の精神と範囲に反することなしに広範に異なる実施形態を構成することができることは明白である。従って、この発明は、添付請求の範囲において限定した以外はその特定の実施形態に制約されるものではない。
【符号の説明】
【００３６】
１      ボード
２      ガイドレール
３      ガイドレール
４      第一のレール係動手段
５      第二のレール係動手段
６      連結基材
７      プロジェクターアーム
８      第１ローラー
９      第２ローラー
１０    第３ローラー
１２    固定ネジ
１５    アルミ枠
１６    ブラケット
１７    昇降機構
１８    ブレーキハンドル
２１    ブラケット
２２    ブラケット
２３    縦杆
２５    ブラケット
２６    基枠材
【図１】
2014048306.tif 000003
【図２】
2014048306.tif 000004
【図３】
2014048306.tif 000005
【図４】
2014048306.tif 000006
【図５】
2014048306.tif 000007
【図６】
2014048306.tif 000008
【図７】
2014048306.tif 000009
【図８】
2014048306.tif 000010
【図９】
2014048306.tif 000011
【図１０】
2014048306.tif 000012